(57)【要約】【課題】電線が煽られても破損し難い電線対基板コネクタを提供する。【解決手段】レセプタクルコネクタ３は、プラグコンタクト４と対応するレセプタクルコンタクト７と、レセプタクルコンタクト７を保持するレセプタクルハウジング８と、レセプタクルハウジング８に取り付けられる補助金具９と、を有し、回路基板１０のコネクタ実装面１０ａに実装される。補助金具９は、少なくとも、被保持部３０と固定部３１、垂直変位規制部４２を有している。被保持部３０は、レセプタクルハウジング８に保持される部分である。固定部３１は、プラグハウジング５に引っ掛かることでプラグコネクタ２をレセプタクルコネクタ３に対して固定する部分である。垂直変位規制部４２は、固定部３１の、回路基板１０のコネクタ実装面１０ａから離れる方向への変位を規制する部分である。【選択図】図９
2014038822.tif 000002
【特許請求の範囲】
【請求項１】
電線が取り付けられるプラグコンタクトと、前記プラグコンタクトを保持するプラグハウジングと、を有するプラグコネクタと、
前記プラグコンタクトと対応するレセプタクルコンタクトと、前記レセプタクルコンタクトを保持するレセプタクルハウジングと、前記レセプタクルハウジングに取り付けられる補助金具と、を有し、基板のコネクタ実装面に実装されるレセプタクルコネクタと、
を備え、
前記プラグコネクタを前記レセプタクルコネクタへ嵌合させる方向としての嵌合方向は、前記基板の前記コネクタ実装面に近づく方向であり、
前記プラグコネクタを前記レセプタクルコネクタへ嵌合させることで、前記プラグコンタクトが前記レセプタクルコンタクトに接触する、電線対基板コネクタであって、
前記補助金具は、
前記レセプタクルハウジングに保持される被保持部と、
前記プラグハウジングに引っ掛かることで前記プラグコネクタを前記レセプタクルコネクタに対して固定する固定部と、
前記固定部の、前記基板の前記コネクタ実装面から離れる方向への変位を規制する第１変位規制部と、
を有する、
電線対基板コネクタ。
【請求項２】
請求項１に記載の電線対基板コネクタであって、
前記固定部は、前記被保持部に支持されると共に、前記基板の前記コネクタ実装面に対して平行に延びる片持梁状に形成されている、
電線対基板コネクタ。
【請求項３】
請求項２に記載の電線対基板コネクタであって、
前記固定部は、前記被保持部と対向している、
電線対基板コネクタ。
【請求項４】
請求項３に記載の電線対基板コネクタであって、
前記固定部は、前記被保持部に近づく方向へ弾性変位可能に構成されている、
電線対基板コネクタ。
【請求項５】
請求項４に記載の電線対基板コネクタであって、
前記補助金具は、前記固定部の、前記被保持部に近づく方向への所定量以上の弾性変位を規制する第２変位規制部を更に有する、
電線対基板コネクタ。
【請求項６】
請求項１〜５の何れかに記載の電線対基板コネクタであって、
前記補助金具は、前記基板の前記コネクタ実装面にハンダ付けされる脚部を有している、
電線対基板コネクタ。
【請求項７】
請求項６に記載の電線対基板コネクタであって、
前記脚部は、前記第１変位規制部の近傍に配置されている、
電線対基板コネクタ。
【請求項８】
請求項１〜７の何れかに記載の電線対基板コネクタであって、
前記プラグハウジングには、前記補助金具の前記固定部側へ突出する突出部が形成されており、
前記突出部には、前記基板の前記コネクタ実装面から離れる方向を向くプラグロック面が形成されており、
前記固定部には、前記基板の前記コネクタ実装面に近づく方向を向くと共に、前記プラグコネクタが前記レセプタクルコネクタに嵌合された状態としての嵌合状態で前記プラグロック面と対向するレセプタクルロック面が形成されている、
電線対基板コネクタ。
【請求項９】
請求項８に記載の電線対基板コネクタであって、
前記電線は、前記基板の前記コネクタ実装面に対して略平行な方向で、前記プラグコネクタから引き出されている、
電線対基板コネクタ。
【請求項１０】
請求項９に記載の電線対基板コネクタであって、
前記電線から前記プラグコネクタを見る方向を電線コネクタ方向とすると、
前記突出部の前記電線コネクタ方向側の部分は、前記電線コネクタ方向に向かうにつれてその突出量が小さくなるように形成されている、
電線対基板コネクタ。
【請求項１１】
請求項９に記載の電線対基板コネクタであって、
前記電線から前記プラグコネクタを見る方向を電線コネクタ方向とすると、
前記突出部の前記電線コネクタ方向側の部分には、前記基板の前記コネクタ実装面から離れるにつれて前記固定部から離れるように傾斜する平面又は湾曲面が形成されている、
電線対基板コネクタ。
【請求項１２】
請求項９に記載の電線対基板コネクタであって、
前記電線から前記プラグコネクタを見る方向を電線コネクタ方向とすると、
前記固定部の前記電線コネクタ方向側の部分には、前記基板の前記コネクタ実装面から離れるにつれて前記プラグハウジングに近づくように傾斜する平面又は湾曲面が形成されている、
電線対基板コネクタ。
【請求項１３】
請求項１０〜１２の何れかに記載の電線対基板コネクタであって、
前記プラグハウジングには、前記電線が前記基板の前記コネクタ実装面に近づくように前記プラグコネクタを傾けるための解除用突起が設けられている、
電線対基板コネクタ。
【請求項１４】
請求項１３に記載の電線対基板コネクタであって、
前記解除用突起は、前記プラグハウジングの前記電線コネクタ方向側の端部から、前記電線コネクタ方向に突出して形成されている、
電線対基板コネクタ。
【請求項１５】
請求項８〜１４の何れかに記載の電線対基板コネクタであって、
前記固定部には、前記プラグコネクタを前記レセプタクルコネクタに嵌合させるべく前記プラグコネクタの前記突出部が前記固定部に接触した際に、前記固定部を前記プラグコネクタから離れる方向へ弾性変位させる嵌合案内面が形成されている、
電線対基板コネクタ。
【請求項１６】
請求項１５に記載の電線対基板コネクタであって、
前記嵌合案内面は、平面又は湾曲面である、
電線対基板コネクタ。
【請求項１７】
請求項１〜１６の何れかに記載の電線対基板コネクタであって、
前記補助金具は、前記レセプタクルコネクタの両側に一対で設けられている、
電線対基板コネクタ。
【請求項１８】
電線が取り付けられるプラグコンタクトと、前記プラグコンタクトを保持するプラグハウジングと、を有するプラグコネクタと、
前記プラグコンタクトと対応するレセプタクルコンタクトと、前記レセプタクルコンタクトを保持するレセプタクルハウジングと、前記レセプタクルハウジングに取り付けられる補助金具と、を有し、基板のコネクタ実装面に実装されるレセプタクルコネクタと、
を備え、
前記プラグコネクタを前記レセプタクルコネクタへ嵌合させる方向としての嵌合方向は、前記基板の前記コネクタ実装面に近づく方向であり、
前記プラグコネクタを前記レセプタクルコネクタへ嵌合させることで、前記プラグコンタクトが前記レセプタクルコンタクトに接触する、電線対基板コネクタであって、
前記補助金具は、
前記レセプタクルハウジングに保持される被保持部と、
前記プラグハウジングに引っ掛かることで前記プラグコネクタを前記レセプタクルコネクタに対して固定する固定部と、
前記固定部の、前記基板の前記コネクタ実装面から離れる方向への変位を規制する第１変位規制部と、
を有し、
前記固定部は、前記被保持部に支持されると共に、前記基板の前記コネクタ実装面に対して平行に延びる片持梁状に形成されており、
前記固定部は、前記被保持部に近づく方向へ弾性変位可能に構成されており、
前記プラグハウジングには、前記補助金具の前記固定部側へ突出する突出部が形成されており、
前記突出部には、前記基板の前記コネクタ実装面から離れる方向を向くプラグロック面が形成されており、
前記固定部には、前記基板の前記コネクタ実装面に近づく方向を向くと共に、前記プラグコネクタが前記レセプタクルコネクタに嵌合された状態としての嵌合状態で前記プラグロック面と対向するレセプタクルロック面が形成されており、
前記プラグハウジングの側面としてのプラグ側面には、前記補助金具の前記固定部側へ張り出した張り出し部を設けてあり、前記嵌合状態では、前記張り出し部と、前記固定部の弾性変位可能な部分とが接触している、
電線対基板コネクタ。
【発明の詳細な説明】
【技術分野】
【０００１】
本発明は、コネクタに関する。
【背景技術】
【０００２】
この種の技術として、特許文献１は、回路基板に実装される基板コネクタ１００と、複数の電線１０１の終端に接続される電線コネクタ１０３と、を備えた電線対基板コネクタ１０４を開示している。この電線対基板コネクタ１０４は、低背型垂直嵌合コネクタであって、電線１０１が回路基板と平行に引き出される電線水平出しタイプのものである。
【０００３】
基板コネクタ１００は、基板側ハウジング１０５と、基板側ハウジング１０５に取り付けられる金属製の取付用補助金具１０６と、を有している。取付用補助金具１０６には係合用開口１０７が形成されている。
【０００４】
一方、電線コネクタ１０３は、電線側ハウジング１０８を有している。電線側ハウジング１０８の側部には、下方に延びる側方ロック部材１０９が接続されている。側方ロック部材１０９の内面には、内方に向けて突出する側方係合突起部が形成されている。
【０００５】
そして、電線コネクタ１０３の側方ロック部材１０９の側方係合突起部が、基板コネクタ１００の取付用補助金具１０６の係合用開口１０７に係合することで、電線コネクタ１０３が基板コネクタ１００にロックされるようになっている。
【先行技術文献】
【特許文献】
【０００６】
【特許文献１】特開２０１１−３２９２号公報
【発明の概要】
【発明が解決しようとする課題】
【０００７】
特許文献１の取付用補助金具１０６には、電線１０１が煽られても破損しないよう、強度面で改善の余地が残されている。
【０００８】
本願発明の目的は、電線が煽られても破損し難い電線対基板コネクタを提供することにある。
【課題を解決するための手段】
【０００９】
本願発明の第１の観点によれば、電線が取り付けられるプラグコンタクトと、前記プラグコンタクトを保持するプラグハウジングと、を有するプラグコネクタと、前記プラグコンタクトと対応するレセプタクルコンタクトと、前記レセプタクルコンタクトを保持するレセプタクルハウジングと、前記レセプタクルハウジングに取り付けられる補助金具と、を有し、基板のコネクタ実装面に実装されるレセプタクルコネクタと、を備え、前記プラグコネクタを前記レセプタクルコネクタへ嵌合させる方向としての嵌合方向は、前記基板の前記コネクタ実装面に近づく方向であり、前記プラグコネクタを前記レセプタクルコネクタへ嵌合させることで、前記プラグコンタクトが前記レセプタクルコンタクトに接触する、電線対基板コネクタであって、前記補助金具は、前記レセプタクルハウジングに保持される被保持部と、前記プラグハウジングに引っ掛かることで前記プラグコネクタを前記レセプタクルコネクタに対して固定する固定部と、前記固定部の、前記基板の前記コネクタ実装面から離れる方向への変位を規制する第１変位規制部と、を有する、電線対基板コネクタが提供される。
好ましくは、前記固定部は、前記被保持部に支持されると共に、前記基板の前記コネクタ実装面に対して平行に延びる片持梁状に形成されている。
好ましくは、前記固定部は、前記被保持部と対向している。
好ましくは、前記固定部は、前記被保持部に近づく方向へ弾性変位可能に構成されている。
好ましくは、前記補助金具は、前記固定部の、前記被保持部に近づく方向への所定量以上の弾性変位を規制する第２変位規制部を更に有する。
好ましくは、前記補助金具は、前記基板の前記コネクタ実装面にハンダ付けされる脚部を有している。
好ましくは、前記脚部は、前記第１変位規制部の近傍に配置されている。
好ましくは、前記プラグハウジングには、前記補助金具の前記固定部側へ突出する突出部が形成されており、前記突出部には、前記基板の前記コネクタ実装面から離れる方向を向くプラグロック面が形成されており、前記固定部には、前記基板の前記コネクタ実装面に近づく方向を向くと共に、前記プラグコネクタが前記レセプタクルコネクタに嵌合された状態としての嵌合状態で前記プラグロック面と対向するレセプタクルロック面が形成されている。
好ましくは、前記電線は、前記基板の前記コネクタ実装面に対して略平行な方向で、前記プラグコネクタから引き出されている。
好ましくは、前記電線から前記プラグコネクタを見る方向を電線コネクタ方向とすると、前記突出部の前記電線コネクタ方向側の部分は、前記電線コネクタ方向に向かうにつれてその突出量が小さくなるように形成されている。
好ましくは、前記電線から前記プラグコネクタを見る方向を電線コネクタ方向とすると、前記突出部の前記電線コネクタ方向側の部分には、前記基板の前記コネクタ実装面から離れるにつれて前記固定部から離れるように傾斜する平面又は湾曲面が形成されている。
好ましくは、前記電線から前記プラグコネクタを見る方向を電線コネクタ方向とすると、前記固定部の前記電線コネクタ方向側の部分には、前記基板の前記コネクタ実装面から離れるにつれて前記プラグハウジングに近づくように傾斜する平面又は湾曲面が形成されている。
好ましくは、前記プラグハウジングには、前記電線が前記基板の前記コネクタ実装面に近づくように前記プラグコネクタを傾けるための解除用突起が設けられている。
好ましくは、前記解除用突起は、前記プラグハウジングの前記電線コネクタ方向側の端部から、前記電線コネクタ方向に突出して形成されている。
好ましくは、前記固定部には、前記プラグコネクタを前記レセプタクルコネクタに嵌合させるべく前記プラグコネクタの前記突出部が前記固定部に接触した際に、前記固定部を前記プラグコネクタから離れる方向へ弾性変位させる嵌合案内面が形成されている。
好ましくは、前記嵌合案内面は、平面又は湾曲面である。
好ましくは、前記補助金具は、前記レセプタクルコネクタの両側に一対で設けられている。
本願発明の第２の観点によれば、電線が取り付けられるプラグコンタクトと、前記プラグコンタクトを保持するプラグハウジングと、を有するプラグコネクタと、前記プラグコンタクトと対応するレセプタクルコンタクトと、前記レセプタクルコンタクトを保持するレセプタクルハウジングと、前記レセプタクルハウジングに取り付けられる補助金具と、を有し、基板のコネクタ実装面に実装されるレセプタクルコネクタと、を備え、前記プラグコネクタを前記レセプタクルコネクタへ嵌合させる方向としての嵌合方向は、前記基板の前記コネクタ実装面に近づく方向であり、前記プラグコネクタを前記レセプタクルコネクタへ嵌合させることで、前記プラグコンタクトが前記レセプタクルコンタクトに接触する、電線対基板コネクタであって、前記補助金具は、前記レセプタクルハウジングに保持される被保持部と、前記プラグハウジングに引っ掛かることで前記プラグコネクタを前記レセプタクルコネクタに対して固定する固定部と、前記固定部の、前記基板の前記コネクタ実装面から離れる方向への変位を規制する第１変位規制部と、を有し、前記固定部は、前記被保持部に支持されると共に、前記基板の前記コネクタ実装面に対して平行に延びる片持梁状に形成されており、前記固定部は、前記被保持部に近づく方向へ弾性変位可能に構成されており、前記プラグハウジングには、前記補助金具の前記固定部側へ突出する突出部が形成されており、前記突出部には、前記基板の前記コネクタ実装面から離れる方向を向くプラグロック面が形成されており、前記固定部には、前記基板の前記コネクタ実装面に近づく方向を向くと共に、前記プラグコネクタが前記レセプタクルコネクタに嵌合された状態としての嵌合状態で前記プラグロック面と対向するレセプタクルロック面が形成されており、前記プラグハウジングの側面としてのプラグ側面には、前記補助金具の前記固定部側へ張り出した張り出し部を設けてあり、前記嵌合状態では、前記張り出し部と、前記固定部の弾性変位可能な部分とが接触している、電線対基板コネクタが提供される。
【発明の効果】
【００１０】
本願発明によれば、前記固定部の、前記基板のコネクタ実装面から離れる方向への変位が規制されるので、前記電線が煽られても前記補助金具が破損することがない。
【図面の簡単な説明】
【００１１】
【図１】図1は、電線対基板コネクタの嵌合状態の斜視図である。（第１実施形態）
【図２】図2は、電線対基板コネクタの未嵌合状態の斜視図である。（第１実施形態）
【図３】図3は、レセプタクルコネクタの斜視図である。（第１実施形態）
【図４】図4は、レセプタクルコネクタの別の角度から見た斜視図である。（第１実施形態）
【図５】図5は、レセプタクルハウジングの斜視図である。（第１実施形態）
【図６】図6は、レセプタクルハウジングの別の角度から見た斜視図である。（第１実施形態）
【図７】図7は、図５のB部拡大図である。（第１実施形態）
【図８】図8は、図６のC部拡大図である。（第１実施形態）
【図９】図9は、補助金具の斜視図である。（第１実施形態）
【図１０】図10は、補助金具の別の角度から見た斜視図である。（第１実施形態）
【図１１】図11は、レセプタクルコンタクトの斜視図である。（第１実施形態）
【図１２】図12は、図３のA部拡大図である。（第１実施形態）
【図１３】図13は、レセプタクルコネクタの部分平面図である。（第１実施形態）
【図１４】図14は、電線に取り付けられたプラグコネクタの斜視図である。（第１実施形態）
【図１５】図15は、電線に取り付けられたプラグコネクタの別の角度から見た斜視図である。（第１実施形態）
【図１６】図16は、図１４のD部拡大図である。（第１実施形態）
【図１７】図17は、突出部の三面図である。（第１実施形態）
【図１８】図18は、電線に取り付けられたプラグコンタクトの斜視図である。（第１実施形態）
【図１９】図19は、電線が煽られた際の動作説明図である。（第１実施形態）
【図２０】図20は、プラグコネクタをレセプタクルコネクタから取り外す際の動作説明図である。（第１実施形態）
【図２１】図21は、突出部の拡大斜視図である。（第２実施形態）
【図２２】図22は、突出部の断面を説明するための斜視図である。（第２実施形態）
【図２３】図23は、突出部の断面Xの断面図である。（第２実施形態）
【図２４】図24は、突出部の断面Yの断面図である。（第２実施形態）
【図２５】図25は、突出部の断面Zの断面図である。（第２実施形態）
【図２６】図26は、突出部の拡大斜視図である。（第３実施形態）
【図２７】図27は、補助金具の斜視図である。（第４実施形態）
【図２８】図28は、補助金具の別の角度から見た斜視図である。（第４実施形態）
【図２９】図29は、補助金具の斜視図である。（第５実施形態）
【図３０】図30は、補助金具の斜視図である。（第６実施形態）
【図３１】図31は、補助金具の別の角度から見た斜視図である。（第６実施形態）
【図３２】図32は、特許文献１の図１に相当する図である。
【図３３】図33は、第２実施形態の電線対基板コネクタの嵌合状態を示す平面図である。
【図３４】図34は、図３３のG部拡大図である。
【図３５】図35は、複数の電線が取り付けられた状態のプラグコネクタの部分斜視図である。（第７実施形態）
【図３６】図36は、図３４に相当する図である。（第７実施形態）
【図３７】図37は、複数の電線が取り付けられた状態のプラグコネクタの部分斜視図である。（第８実施形態）
【図３８】図38は、図３４に相当する図である。（第８実施形態）
【発明を実施するための形態】
【００１２】
（第１実施形態）
以下、図１〜図２０を参照しつつ、本願発明の第１実施形態を説明する。図１及び図２に示すように、電線対基板コネクタ１は、プラグコネクタ２とレセプタクルコネクタ３を備えて構成されている。
【００１３】
図２に示すように、プラグコネクタ２は、複数のプラグコンタクト４（図１８を併せて参照）と、複数のプラグコンタクト４を保持するプラグハウジング５と、を有して構成されている。各プラグコンタクト４には、電線６が取り付けられている。
【００１４】
レセプタクルコネクタ３は、複数のレセプタクルコンタクト７と、複数のレセプタクルコンタクト７を保持するレセプタクルハウジング８と、レセプタクルハウジング８に取り付けられる一対の補助金具９と、を有して構成されている。各レセプタクルコンタクト７は、各プラグコンタクト４と対応している。レセプタクルコネクタ３は、回路基板１０（基板）のコネクタ実装面１０ａに実装されて用いられる。本実施形態において、プラグコネクタ２をレセプタクルコネクタ３へ嵌合させる方向としての嵌合方向Pは、回路基板１０のコネクタ実装面１０ａに近づく方向である。詳しくは、嵌合方向Pは、回路基板１０のコネクタ実装面１０ａに対して直交する方向である。
【００１５】
そして、図１及び図２に示すようにプラグコネクタ２をレセプタクルコネクタ３へ嵌合させることで、各プラグコンタクト４が各レセプタクルコンタクト７に接触するようになっている。
【００１６】
ここで、「電線方向（第１方向）」及び「基板直交方向（第２方向）」、「コネクタ幅方向（第３方向）」を定義する。「電線方向」及び「基板直交方向」、「コネクタ幅方向」は、相互に直交する方向である。
【００１７】
「電線方向」は、回路基板１０のコネクタ実装面１０ａに対して平行となる方向であって、図１に示すようにプラグコネクタ２がレセプタクルコネクタ３に嵌合された状態としての嵌合状態において、電線６のプラグコネクタ２近傍の部分である近傍部６ａの長手方向として特定される方向である。換言すれば、電線６は、回路基板１０のコネクタ実装面１０ａに対して略平行な方向で、プラグコネクタ２から引き出されている。「電線方向」のうち、プラグコネクタ２から複数の電線６を見る方向をコネクタ電線方向とし、複数の電線６からプラグコネクタ２を見る方向を電線コネクタ方向とする。「基板直交方向」は、回路基板１０のコネクタ実装面１０ａに対して直交する方向である。「基板直交方向」のうち、回路基板１０のコネクタ実装面１０ａに近づく方向を「基板近接方向」とし、回路基板１０のコネクタ実装面１０ａから離れる方向を「基板離間方向」とする。図２に示す嵌合方向Pは、基板近接方向に一致している。「コネクタ幅方向」は、電線方向及び基板直交方向に対して直交する方向である。コネクタ幅方向は、回路基板１０のコネクタ実装面１０ａに対して平行である。「コネクタ幅方向」のうち、電線対基板コネクタ１の中央に向かう方向を「コネクタ幅中央方向」とし、電線対基板コネクタ１の中央から離れる方向を「コネクタ幅反中央方向」とする。
【００１８】
以下の説明において、電線対基板コネクタ１の各構成要素を説明するに際しては、プラグコネクタ２がレセプタクルコネクタ３に嵌合された状態としての嵌合状態で定義した電線方向及び基板直交方向、コネクタ幅方向をそのまま利用するものとする。
【００１９】
（レセプタクルコネクタ３）
次に、図３〜図１３を参照して、レセプタクルコネクタ３を詳細に説明する。
【００２０】
図３及び図４に示すように、レセプタクルコネクタ３は、前述の通り、複数のレセプタクルコンタクト７と、複数のレセプタクルコンタクト７を保持するレセプタクルハウジング８と、レセプタクルハウジング８に取り付けられる一対の補助金具９と、を有して構成されている。
【００２１】
（レセプタクルコネクタ３：レセプタクルハウジング８）
図５〜図６に示すように、レセプタクルハウジング８は、基板対向部１５、レセプタクルコンタクト保持部１６、一対の補助金具取付部１７によって構成されている。レセプタクルハウジング８を構成する基板対向部１５及びレセプタクルコンタクト保持部１６、一対の補助金具取付部１７は、絶縁性を有する例えば樹脂などの素材によって一体的に形成されている。
【００２２】
基板対向部１５は、回路基板１０のコネクタ実装面１０ａに対して平行となる平板であって、コネクタ幅方向に細長い矩形状に形成されている。
【００２３】
レセプタクルコンタクト保持部１６は、基板対向部１５の電線コネクタ方向側の端部から基板離間方向に突出し、コネクタ幅方向に細長く延びる部分である。図６に示すように、レセプタクルコンタクト保持部１６には、複数のレセプタクルコンタクト取付孔１８が形成されている。各レセプタクルコンタクト取付孔１８は、各レセプタクルコンタクト７をレセプタクルハウジング８に取り付けるための取付孔である。複数のレセプタクルコンタクト取付孔１８は、コネクタ幅方向に沿って所定の間隔で形成されている。各レセプタクルコンタクト取付孔１８は、レセプタクルコンタクト保持部１６を電線方向に貫通するように形成されている。即ち、各レセプタクルコンタクト取付孔１８は、電線コネクタ方向及びコネクタ電線方向に開口するように形成されている。図５に示すように、レセプタクルコンタクト保持部１６は、一対の端部１９を有している。一対の端部１９は、レセプタクルコンタクト保持部１６のコネクタ幅方向における端部である。一対の端部１９は、電線方向に対して直交する壁体である。
【００２４】
一対の補助金具取付部１７は、基板対向部１５及びレセプタクルコンタクト保持部１６のコネクタ幅方向における両端部に形成されている。一対の補助金具取付部１７は、電線方向に沿って細長く形成されている。一対の補助金具取付部１７は、レセプタクルコンタクト保持部１６よりもコネクタ電線方向側に配置されている。一対の補助金具取付部１７は、電線対基板コネクタ１のコネクタ幅方向の中央を挟んで対称の形状であるから、一方についてのみ説明し、他方の説明は省略する。
【００２５】
図７及び図８に示すように、補助金具取付部１７は、位置決め溝側方区画壁部２０、位置決め溝前方区画壁部２１、金具保持溝後方区画壁部２２、金具保持溝側方区画壁部２３、金具保持溝内方区画壁部２４、金具保持溝下側区画壁部２５によって構成されている。
【００２６】
位置決め溝側方区画壁部２０は、レセプタクルコンタクト保持部１６の端部１９のコネクタ幅反中央方向側の端部からコネクタ電線方向に延びる壁体である。位置決め溝側方区画壁部２０は、コネクタ幅方向に対して直交している。
【００２７】
位置決め溝前方区画壁部２１は、位置決め溝側方区画壁部２０のコネクタ電線方向側の端部からコネクタ幅中央方向に突出した壁体である。
【００２８】
そして、レセプタクルコンタクト保持部１６の端部１９と、補助金具取付部１７の位置決め溝側方区画壁部２０及び位置決め溝前方区画壁部２１によって位置決め溝４１が形成されている。レセプタクルコンタクト保持部１６の端部１９は、位置決め溝４１の電線コネクタ方向側を区画している。位置決め溝側方区画壁部２０は、位置決め溝４１のコネクタ幅反中央方向側を区画している。位置決め溝前方区画壁部２１は、位置決め溝４１のコネクタ電線方向側を区画している。
【００２９】
金具保持溝後方区画壁部２２は、位置決め溝側方区画壁部２０のコネクタ電線方向側の端部からコネクタ幅反中央方向に延びる壁体である。金具保持溝後方区画壁部２２は、電線方向に対して直交している。
【００３０】
金具保持溝側方区画壁部２３は、金具保持溝後方区画壁部２２のコネクタ幅反中央方向側の端部からコネクタ電線方向に延びる壁体である。金具保持溝側方区画壁部２３は、コネクタ幅方向に対して直交している。
【００３１】
金具保持溝内方区画壁部２４は、金具保持溝側方区画壁部２３よりも若干コネクタ幅中央方向側に離れて配置され、金具保持溝側方区画壁部２３に対して略平行となる壁体である。金具保持溝内方区画壁部２４は、コネクタ幅方向に対して略直交している。金具保持溝内方区画壁部２４は、コネクタ電線方向に向かうにつれて次第に肉薄となるように形成されている。金具保持溝内方区画壁部２４の電線コネクタ方向側の端部には、電線コネクタ方向に凸となる湾曲面２４ａが形成されている。
【００３２】
金具保持溝下側区画壁部２５は、金具保持溝側方区画壁部２３の基板近接方向側の端部と、金具保持溝内方区画壁部２４の基板近接方向側の端部と、を連結する壁体である。図８に示すように、金具保持溝下側区画壁部２５は、基板直交方向に対して直交している。金具保持溝下側区画壁部２５には、圧入孔２５ａが形成されている。金具保持溝側方区画壁部２３のコネクタ電線方向側の端部と、金具保持溝内方区画壁部２４のコネクタ電線方向側の端部は、基板近接方向へ露出している。
【００３３】
そして、図７に示すように、金具保持溝側方区画壁部２３と金具保持溝内方区画壁部２４、金具保持溝下側区画壁部２５によって金具保持溝２６が形成されている。金具保持溝側方区画壁部２３は、金具保持溝２６のコネクタ幅反中央方向側を区画している。金具保持溝内方区画壁部２４は、金具保持溝２６のコネクタ幅中央方向側を区画している。金具保持溝下側区画壁部２５は、金具保持溝２６の基板近接方向側を区画している。金具保持溝２６は、基板離間方向に開口している。金具保持溝２６は、電線方向に沿って細長く形成されている。
【００３４】
金具保持溝内方区画壁部２４の湾曲面２４ａは、金具保持溝後方区画壁部２２に対して電線方向で対向している。金具保持溝内方区画壁部２４の湾曲面２４ａと金具保持溝後方区画壁部２２との間には、隙間ｇが形成されている。
【００３５】
（レセプタクルコネクタ３：補助金具９）
次に、図９及び図１０を参照して、一対の補助金具９を説明する。一対の補助金具９は、電線対基板コネクタ１のコネクタ幅方向の中央を挟んで対称の形状であるから、一方についてのみ説明し、他方の説明は省略する。
【００３６】
補助金具９は、被保持部３０、固定部３１、連結部３２、変位規制部３３、によって構成されている。補助金具９は、板金折り曲げによって形成されている。
【００３７】
被保持部３０は、レセプタクルハウジング８によって保持される部分である。被保持部３０は、電線方向に延びて形成されている。被保持部３０は、コネクタ幅方向に対して直交している。図１０に示すように、被保持部３０は、被保持部本体３０ａと被圧入部３０ｂ、脚部３０ｃを有している。被圧入部３０ｂは、図８の金具保持溝下側区画壁部２５の圧入孔２５ａに圧入される部分である。被圧入部３０ｂは、被保持部本体３０ａの電線方向中途部から基板近接方向に突出して形成されている。脚部３０ｃは、回路基板１０のコネクタ実装面１０ａにハンダ付けされる部分である。被保持部本体３０ａのコネクタ電線方向側の端部から基板近接方向に突出して形成されている。
【００３８】
固定部３１は、プラグハウジング５に引っ掛かることでプラグコネクタ２をレセプタクルコネクタ３に対して固定する部分である。固定部３１は、電線方向に延びて形成されている。固定部３１は、コネクタ幅方向に対して直交している。固定部３１は、補助金具９がレセプタクルハウジング８に取り付けられる前の図９の状態で、被保持部３０とコネクタ幅方向で対向している。図９に示すように、固定部３１は、固定部本体３４と被規制突起３５を有して構成されている。
【００３９】
固定部本体３４は、電線方向に細長く延びて形成されている。固定部本体３４には、コネクタ幅反中央方向で見て略矩形状となるロック孔３６が形成されている。ロック孔３６は、電線方向に細長く形成されている。ロック孔３６が形成されていることで、ロック孔３６の基板離間方向側には、ロック孔３６の基板離間方向側を区画するロック梁３７が形成されている。ロック梁３７は、レセプタクルロック面３８、プラグ対向面３９、嵌合案内面４０を有している。レセプタクルロック面３８は、基板近接方向を向く平面である。レセプタクルロック面３８は、基板直交方向に対して直交している。レセプタクルロック面３８は、電線方向に細長く形成されている。プラグ対向面３９は、レセプタクルロック面３８のコネクタ幅中央方向側の縁に接続し、コネクタ幅中央方向を向く平面である。プラグ対向面３９は、コネクタ幅方向に対して直交している。嵌合案内面４０は、プラグ対向面３９の基板離間方向側の縁に接続し、基板近接方向に向かうにつれてコネクタ幅中央方向に向かうように傾斜する平面である。
【００４０】
被規制突起３５は、固定部本体３４のコネクタ電線方向側の端部の基板近接方向寄りの部分からコネクタ電線方向に突出して形成されている。
【００４１】
連結部３２は、被保持部３０の電線コネクタ方向側の端部と、固定部３１の電線コネクタ方向側の端部と、を連結する部分である。連結部３２は、電線コネクタ方向側に凸となるように湾曲して形成されている。従って、被保持部３０と固定部３１、連結部３２は、基板近接方向で見ると略U字を構成している。この連結部３２の存在により、固定部３１は、連結部３２を介して被保持部３０に支持されると共に、回路基板１０のコネクタ実装面１０ａに対して平行に延びる片持梁状に形成されていると言及できる。また、この連結部３２の存在により、固定部３１は、被保持部３０に近づく方向へ、即ちコネクタ幅反中央方向へ弾性変位可能に構成されている。
【００４２】
変位規制部３３は、固定部３１の変位を規制するための部分である。変位規制部３３は、垂直変位規制部４２（第１変位規制部）と水平変位規制部４３（第２変位規制部）によって構成されている。垂直変位規制部４２及び水平変位規制部４３は、被保持部３０のコネクタ電線方向側の端部からコネクタ幅中央方向に突出して形成されている。垂直変位規制部４２及び水平変位規制部４３は、電線方向に対して直交している。垂直変位規制部４２は、水平変位規制部４３よりも基板離間方向側に配置されている。水平変位規制部４３は、垂直変位規制部４２よりも基板近接方向側に配置されている。垂直変位規制部４２は、水平変位規制部４３よりもコネクタ幅中央方向へ大きく突出している。水平変位規制部４３は、垂直変位規制部４２よりもコネクタ幅中央方向へ小さく突出している。換言すれば、水平変位規制部４３は、垂直変位規制部４２よりもコネクタ幅反中央方向で見て窪んでいる。垂直変位規制部４２は、先端部４２ａを有している。垂直変位規制部４２の先端部４２ａは、垂直変位規制部４２のコネクタ幅中央方向側の先端の部分である。垂直変位規制部４２の先端部４２ａは、固定部３１の被規制突起３５に対して基板直交方向で対向している。垂直変位規制部４２の先端部４２ａは、固定部３１の被規制突起３５よりも基板離間方向側に配置されている。従って、固定部３１が基板離間方向側に変位すると、固定部３１の被規制突起３５が変位規制部３３の垂直変位規制部４２の先端部４２ａに対して即座に接触し、固定部３１のそれ以上の変位が禁止される。固定部３１の被規制突起３５と、変位規制部３３の垂直変位規制部４２の先端部４２ａと、の間の隙間ｈは、本実施形態において可及的に小さく設定されている。従って、固定部３１の基板離間方向側への変位は実質的に禁止されている。水平変位規制部４３は、固定部３１の被規制突起３５に対してコネクタ幅方向で対向している。水平変位規制部４３は、固定部３１の被規制突起３５よりもコネクタ幅反中央方向側に配置されている。従って、固定部３１がコネクタ幅反中央方向側に変位すると、固定部３１の被規制突起３５が変位規制部３３の水平変位規制部４３に接触し、固定部３１のそれ以上の変位は禁止される。固定部３１の被規制突起３５と、変位規制部３３の水平変位規制部４３と、の間の隙間ｊは、本実施形態において比較的大きな値に設定されている。従って、固定部３１のコネクタ幅反中央方向側への変位はある程度許容されており、所定量以上の変位のみが禁止されている。図１０に示すように、変位規制部３３の垂直変位規制部４２及び水平変位規制部４３は、被保持部３０の脚部３０ｃの近傍に形成されている。即ち、被保持部３０の脚部３０ｃは、変位規制部３３の垂直変位規制部４２及び水平変位規制部４３の近傍に形成されている。
【００４３】
（レセプタクルコネクタ３：レセプタクルコンタクト７）
次に、図１１を参照して、レセプタクルコンタクト７を説明する。図１１に示すように、レセプタクルコンタクト７は、コネクタ幅方向に対して直交する板体である。レセプタクルコンタクト７は、レセプタクルコンタクト本体７０と、レセプタクルコンタクト接点部７１、レセプタクルコンタクト脚部７２によって構成されている。レセプタクルコンタクト本体７０は、電線方向に細長く延びて形成されている。レセプタクルコンタクト接点部７１は、レセプタクルコンタクト本体７０のコネクタ電線方向側の端部からコネクタ電線方向に突出して形成されている。レセプタクルコンタクト接点部７１には、一対の窪み７１ａが形成されている。レセプタクルコンタクト脚部７２は、レセプタクルコンタクト本体７０の電線コネクタ方向側の端部から基板近接方向に突出して形成されている。
【００４４】
（レセプタクルコネクタ３の組立）
次に、レセプタクルコネクタ３の組立方法を詳細に説明する。
【００４５】
先ず、図２〜図６に示すように、複数のレセプタクルコンタクト７をレセプタクルハウジング８のレセプタクルコンタクト保持部１６の複数のレセプタクルコンタクト取付孔１８に夫々圧入する。各レセプタクルコンタクト取付孔１８への各レセプタクルコンタクト７の圧入方向は、コネクタ電線方向である。図３に示すように、各レセプタクルコンタクト７のレセプタクルコンタクト接点部７１は、レセプタクルコンタクト７がレセプタクルハウジング８に取り付けられた状態で、コネクタ電線方向側に露出している。同様に、図４に示すように、各レセプタクルコンタクト７のレセプタクルコンタクト脚部７２は、レセプタクルコンタクト７がレセプタクルハウジング８に取り付けられた状態で、基板近接方向側に露出している。
【００４６】
次に、図１２に示すように、一対の補助金具９をレセプタクルハウジング８の一対の補助金具取付部１７に夫々取り付ける。具体的には、先ず、図９の各補助金具９の被保持部３０が図７のレセプタクルハウジング８の各補助金具取付部１７の金具保持溝２６に挿入されるように、かつ、図９の各補助金具９の連結部３２が図７のレセプタクルハウジング８の各補助金具取付部１７の隙間ｇに挿入されるように、各補助金具９を各補助金具取付部１７に対して位置決めする。このように各補助金具９を各補助金具取付部１７に対して位置決めした上で、各補助金具９を各補助金具取付部１７に基板近接方向で押し込む。
【００４７】
すると、図９の各補助金具９の被保持部３０が図７のレセプタクルハウジング８の各補助金具取付部１７の金具保持溝２６に挿入されると共に、図９の各補助金具９の連結部３２が図７のレセプタクルハウジング８の各補助金具取付部１７の隙間ｇに挿入される。このとき、図１０の各補助金具９の被保持部３０の被圧入部３０ｂが、図８のレセプタクルハウジング８の各補助金具取付部１７の金具保持溝下側区画壁部２５の圧入孔２５ａに圧入される。この圧入により、各補助金具９は、各補助金具取付部１７に対して強力に固定される。
【００４８】
図１２及び図１３には、各補助金具９がレセプタクルハウジング８の各補助金具取付部１７に取り付けられた状態を示している。図１２及び図１３に示すように、金具保持溝内方区画壁部２４は、補助金具９によって取り囲まれた配置となっている。図１３に示すように、各補助金具９をレセプタクルハウジング８の各補助金具取付部１７に取り付けた状態で、各補助金具取付部１７の金具保持溝内方区画壁部２４と、各補助金具９の固定部３１と、の間には隙間ｋが形成されている。従って、各補助金具９の固定部３１は、コネクタ幅反中央方向に弾性変位可能となっている。詳しくは、各補助金具９の固定部３１は、固定部３１の電線コネクタ方向側の端部を中心として回転するようにコネクタ幅反中央方向に弾性変位可能となっている。図１３に示すように、金具保持溝内方区画壁部２４は、コネクタ電線方向に向かうにつれて次第に肉薄となるように形成されているので、各補助金具９の固定部３１の弾性変位を許容しつつも、厚みが最大限確保され、強度上優れている。
【００４９】
（プラグコネクタ２）
次に、図１４〜図１８を参照して、プラグコネクタ２を詳細に説明する。
【００５０】
図１４及び図１５に示すプラグコネクタ２は、前述の通り、複数のプラグコンタクト４と、複数のプラグコンタクト４を保持するプラグハウジング５と、によって構成されている。
【００５１】
プラグハウジング５は、プラグハウジング本体５０と、解除用突起５１、一対の位置決め突起５２、一対の突出部５３によって構成されている。
【００５２】
図１４に示すように、プラグハウジング本体５０は、基板直交方向において薄肉の扁平体である。プラグハウジング本体５０は、基板近接方向で見て矩形状であって、コネクタ幅方向に細長く形成されている。プラグハウジング本体５０には、複数のプラグコンタクト取付孔５４が形成されている。複数のプラグコンタクト取付孔５４は、コネクタ幅方向に沿って所定の間隔で形成されている。各プラグコンタクト取付孔５４は、プラグハウジング本体５０を電線方向に貫通するように形成されている。即ち、各プラグコンタクト取付孔５４は、電線コネクタ方向及びコネクタ電線方向に開口するように形成されている。
【００５３】
プラグハウジング本体５０は、プラグハウジング本体５０の一対の側面としての一対のプラグ側面５０ａを有している。一対のプラグ側面５０ａは、電線方向と基板直交方向の何れの方向に対しても略平行な平面である。即ち、各プラグ側面５０ａは、コネクタ幅方向に対して略直交している。
【００５４】
図１８には、電線６の端部に取り付けられたプラグコンタクト４を示している。プラグコンタクト４は、レセプタクルコンタクト７を挟持することでレセプタクルコンタクト７に対して接触する一対の接触片４ａを有している。各接触片４ａの内側の面には、図１１のレセプタクルコンタクト７のレセプタクルコンタクト接点部７１の窪み７１ａに嵌るように突出する接点部４ｂが形成されている。図１５に示すように、複数のプラグコンタクト４は、コネクタ幅方向に並べて配置されている。そして、複数のプラグコンタクト４は、コネクタ幅方向において、一対のプラグ側面５０ａに挟まれている。
【００５５】
図１４及び図１５に示すように、解除用突起５１は、電線６が回路基板１０のコネクタ実装面１０ａに近づくようにプラグコネクタ２を傾けるための突起である。解除用突起５１は、プラグハウジング本体５０の電線コネクタ方向側の端部の基板離間方向寄りの部分から電線コネクタ方向に向かって突出するように形成されている。解除用突起５１は、コネクタ幅方向に細長く形成されている。
【００５６】
各位置決め突起５２は、プラグハウジング本体５０の電線コネクタ方向側の端部の、コネクタ幅方向における端部からコネクタ幅反中央方向に向かって突出するように形成されている。
【００５７】
一対の突出部５３は、電線対基板コネクタ１のコネクタ幅方向の中央を挟んで対称の形状であるから、一方についてのみ説明し、他方の説明は省略する。突出部５３は、プラグ側面５０ａのコネクタ電線方向寄りの部分からコネクタ幅反中央方向へ突出して形成されている。突出部５３は、電線方向に細長く形成されている。図１６に示すように、突出部５３は、電線方向に沿って延び、断面形状が台形である角柱状である。突出部５３の電線コネクタ方向側の部分は、斜めに切り落とされている。図１６及び図１７に示すように、突出部５３は、プラグロック面６０、嵌合案内面６１、側方起立面６２、端部起立面６３、端部傾斜面６４を有している。
【００５８】
プラグロック面６０は、回路基板１０のコネクタ実装面１０ａから離れる方向を向くと共に、電線方向に細長く延びる面である。プラグロック面６０とプラグ側面５０ａとの間の角度は、概ね８５〜９０度である。
【００５９】
嵌合案内面６１は、回路基板１０のコネクタ実装面１０ａに近づく方向を向くと共に、電線方向に細長く延びる平面である。嵌合案内面６１は、基板近接方向に向かうにつれてコネクタ幅中央方向に向かうように傾斜している。
【００６０】
側方起立面６２は、コネクタ幅反中央方向を向くと共に、電線方向に細長く延びる平面である。側方起立面６２は、コネクタ幅方向に対して直交している。側方起立面６２は、プラグロック面６０及び嵌合案内面６１に接続している。側方起立面６２は、プラグロック面６０と嵌合案内面６１の間に形成されている。
【００６１】
端部起立面６３は、プラグ側面５０ａに接続し、コネクタ電線方向を向く平面である。端部起立面６３は、電線方向に対して直交している。端部起立面６３は、プラグロック面６０と嵌合案内面６１、側方起立面６２に接続している。
【００６２】
端部傾斜面６４は、プラグ側面５０ａに接続し、電線コネクタ方向及びコネクタ幅反中央方向を向く平面である。端部傾斜面６４は、電線コネクタ方向に向かうにつれてコネクタ幅中央方向に向かうように傾斜している。端部傾斜面６４は、プラグロック面６０と嵌合案内面６１、側方起立面６２に接続している。端部傾斜面６４の存在により、突出部５３の電線コネクタ方向側の部分は、電線コネクタ方向に向かうにつれて、コネクタ幅反中央方向への突出量が小さくなるように形成されている。
【００６３】
（電線６）
電線６は、本実施形態のように導線が個別に被覆されたもののみならず、FFC（Flexible Flat Cable）やFPC（Flexible Printed Circuits）を構成するものであってもよい。
【００６４】
（プラグコネクタ２の組立）
次に、プラグコネクタ２の組立方法を説明する。プラグコネクタ２を組み立てるには、図１８に示すように各電線６の端部に各プラグコンタクト４を取り付けた上で、各プラグコンタクト４を図１４及び図１５に示すようにプラグハウジング５のプラグハウジング本体５０の各プラグコンタクト取付孔５４へ電線コネクタ方向に挿入する。すると、図示しないランスの作用によって、各プラグコンタクト４の各プラグコンタクト取付孔５４からの抜去は禁止される。
【００６５】
（電線対基板コネクタ１の嵌合方法）
次に、プラグコネクタ２をレセプタクルコネクタ３に嵌合させる方法を説明する。プラグコネクタ２をレセプタクルコネクタ３へ嵌合するには、予め、図２に示すように、レセプタクルコネクタ３を回路基板１０のコネクタ実装面１０ａに実装しておく。具体的には、図１０に示す補助金具９の被保持部３０の脚部３０ｃを図２の回路基板１０のコネクタ実装面１０ａの補助金具用パッド１０ｂにハンダ付けする。また、図１１の各レセプタクルコンタクト７のレセプタクルコンタクト脚部７２を回路基板１０のコネクタ実装面１０ａの図示しない電極パッドにハンダ付けする。
【００６６】
次に、図２に示すように、プラグコネクタ２をレセプタクルコネクタ３へ向かって嵌合方向Pで降下させる。すると、以下のような挙動となる。
【００６７】
(1)図１４に示すプラグハウジング５の一対の位置決め突起５２が、図３に示す一対の位置決め溝４１に夫々挿入される。これにより、プラグコネクタ２のレセプタクルコネクタ３に対する相対的な位置が調整される。換言すれば、一対の位置決め突起５２と一対の位置決め溝４１は、プラグコネクタ２のレセプタクルコネクタ３に対する位置決め効果を発揮する。プラグコネクタ２のレセプタクルコネクタ３に対する位置決め効果は、詳しくは、回路基板１０のコネクタ実装面１０ａに対して平行な方向における、プラグコネクタ２のレセプタクルコネクタ３に対する位置決め効果を意味する。また、電線対基板コネクタ１の嵌合後では、一対の位置決め突起５２と一対の位置決め溝４１は、電線６をコネクタ電線方向に引っ張った際の、プラグコネクタ２のレセプタクルコネクタ３からの抜けを禁止する抜け止め効果を発揮する。
【００６８】
(2)図１５に示すようにプラグコネクタ２のプラグハウジング５に保持されている各プラグコンタクト４の一対の接触片４ａ（図１８を併せて参照）間に、図１１に示す各レセプタクルコンタクト７のレセプタクルコンタクト接点部７１が挿入される。これにより、図１８に示す一対の接点部４ｂが図１１のレセプタクルコンタクト７のレセプタクルコンタクト接点部７１の窪み７１ａ内に嵌り込む。この結果、各プラグコンタクト４は、各レセプタクルコンタクト７に対して確実に接触する。
【００６９】
(3)図２に示すようにプラグコネクタ２をレセプタクルコネクタ３へ向かって降下させていくと、図１４に示す一対の位置決め突起５２と図３に示す一対の位置決め溝４１によって発揮されるプラグコネクタ２のレセプタクルコネクタ３に対する位置決め効果によって、図１４に示すプラグハウジング５の一対の突出部５３が、図９に示す各補助金具９の固定部３１のロック梁３７に対して基板直交方向において夫々対向する。そして、図１６に示す突出部５３の嵌合案内面６１が図９に示すロック梁３７の嵌合案内面４０に接触する。この状態で、プラグコネクタ２をレセプタクルコネクタ３へ向かって押し込んでいくと、図１６に示す突出部５３の嵌合案内面６１と図９に示すロック梁３７の嵌合案内面４０の存在により、突出部５３は、ロック梁３７をコネクタ幅反中央方向へ押し退け、ロック梁３７のプラグ対向面３９上を滑りながら降下する。即ち、固定部３１のロック梁３７の嵌合案内面４０は、プラグコネクタ２をレセプタクルコネクタ３に嵌合させるべくプラグコネクタ２の突出部５３が固定部３１に接触した際に、固定部３１をプラグコネクタ２から離れる方向、即ちコネクタ幅反中央方向へ弾性変位させる機能を発揮する。やがて、突出部５３がロック梁３７を乗り越えると、補助金具９のバネ復元力により固定部３１がコネクタ幅中央方向へ復帰し、突出部５３はロック孔３６内に収容される。この結果、図１９に示すように、プラグコネクタ２のプラグハウジング５の突出部５３のプラグロック面６０が、レセプタクルコネクタ３の補助金具９の固定部３１のロック梁３７のレセプタクルロック面３８に対して、基板直交方向で対向する。このプラグロック面６０とレセプタクルロック面３８との基板直交方向における対向により、プラグコネクタ２はレセプタクルコネクタ３に対してロックされ、プラグコネクタ２のレセプタクルコネクタ３からの離脱が禁止される。
【００７０】
詳しくは、図１９に示す嵌合状態では、何らかの原因により複数の電線６が回路基板１０のコネクタ実装面１０ａから離れる方向へ持ち上げられることがある。即ち、図１９に示す嵌合状態では、何らかの原因により複数の電線６が煽られることがある。電線６が煽られると、プラグハウジング５が矢印Rの方向に回転するように傾き、プラグロック面６０がレセプタクルロック面３８に接触することになる。
【００７１】
（電線対基板コネクタ１の抜去方法）
次に、プラグコネクタ２のレセプタクルコネクタ３からの抜去方法を説明する。図２０に示すように、プラグコネクタ２のプラグハウジング５の解除用突起５１に爪や工具、治具などを引っ掛けて、電線６が回路基板１０のコネクタ実装面１０ａに近づくようにプラグコネクタ２が矢印Sの方向に回転するように意図的に傾けられると、端部傾斜面６４がロック梁３７をコネクタ幅反中央方向に押し退ける。端部傾斜面６４がロック梁３７をコネクタ幅反中央方向に押し退けることで、プラグロック面６０とレセプタクルロック面３８との対向関係が解消され、電線対基板コネクタ１のロック状態が解除されることになる。電線対基板コネクタ１のロック状態が解除されたら、後は、プラグコネクタ２をレセプタクルコネクタ３から基板離間方向に引き抜けばよい。
【００７２】
以上に、本願発明の好適な実施形態を説明したが、上記実施形態は、要するに、以下の特長を有している。
【００７３】
（１）電線対基板コネクタ１は、電線６が取り付けられるプラグコンタクト４と、プラグコンタクト４を保持するプラグハウジング５と、を有するプラグコネクタ２と、プラグコンタクト４と対応するレセプタクルコンタクト７と、レセプタクルコンタクト７を保持するレセプタクルハウジング８と、レセプタクルハウジング８に取り付けられる補助金具９と、を有し、回路基板１０（基板）のコネクタ実装面１０ａに実装されるレセプタクルコネクタ３と、を備える。図２に示すように、プラグコネクタ２をレセプタクルコネクタ３へ嵌合させる方向としての嵌合方向Pは、回路基板１０のコネクタ実装面１０ａに近づく方向である。プラグコネクタ２をレセプタクルコネクタ３へ嵌合させることで、プラグコンタクト４がレセプタクルコンタクト７に接触する。補助金具９は、少なくとも、被保持部３０と固定部３１、垂直変位規制部４２（第１変位規制部）を有している。被保持部３０は、レセプタクルハウジング８に保持される部分である。固定部３１は、プラグハウジング５に引っ掛かることでプラグコネクタ２をレセプタクルコネクタ３に対してロックする部分である。垂直変位規制部４２は、固定部３１の、回路基板１０のコネクタ実装面１０ａから離れる方向への変位を規制する部分である。以上の構成によれば、固定部３１の、回路基板１０のコネクタ実装面１０ａから離れる方向への変位が規制されるので、電線６が煽られても補助金具９が破損することがない。なお、ここで言う「補助金具９の破損」とは、例えば、補助金具９の固定部３１が基板離間方向に過変形して塑性変形してしまうことである。
【００７４】
（２）また、図９に示すように、固定部３１は、被保持部３０に支持されると共に、回路基板１０のコネクタ実装面１０ａに対して平行に延びる片持梁状に形成されている。
【００７５】
（３）また、図９に示すように、固定部３１は、被保持部３０と対向している。
【００７６】
（４）また、図９に示すように、固定部３１は、被保持部３０に近づく方向へ弾性変位可能に構成されている。
【００７７】
（５）また、補助金具９は、固定部３１の、被保持部３０に近づく方向への所定量以上の弾性変位を規制する水平変位規制部４３（第２変位規制部）を更に有する。以上の構成によれば、補助金具９の過変形を防止することができる。ここで言う「補助金具９の破損」とは、例えば、補助金具９の固定部３１がコネクタ幅反中央方向に過変形して塑性変形してしまうことである。
【００７８】
（６）また、図１０に示すように、補助金具９は、回路基板１０のコネクタ実装面１０ａにハンダ付けされる脚部３０ｃを有している。
【００７９】
（７）また、図１０に示すように、脚部３０ｃは、垂直変位規制部４２の近傍に配置されている。以上の構成によれば、垂直変位規制部４２による変位規制効果が問題なく発揮されることになる。
【００８０】
（８）また、図１６に示すように、プラグハウジング５には、補助金具９の固定部３１側へ突出する突出部５３が形成されている。突出部５３には、回路基板１０のコネクタ実装面１０ａから離れる方向を向くプラグロック面６０が形成されている。図１０及び図１９に示すように、固定部３１には、回路基板１０のコネクタ実装面１０ａに近づく方向を向くと共に、プラグコネクタ２がレセプタクルコネクタ３に嵌合された状態としての嵌合状態でプラグロック面６０と対向するレセプタクルロック面３８が形成されている。以上の構成によれば、プラグコネクタ２をレセプタクルコネクタ３に対して確実にロックできる。
【００８１】
（９）また、図１に示すように、電線６は、回路基板１０のコネクタ実装面１０ａに対して略平行な方向で、プラグコネクタ２から引き出されている。
【００８２】
（１０）また、図１６に示すように、電線６からプラグコネクタ２を見る方向を電線コネクタ方向とすると、突出部５３の電線コネクタ方向側の部分は、電線コネクタ方向に向かうにつれてその突出量が小さくなるように形成されている。以上の構成によれば、図１９及び図２０に示すように、電線６が回路基板１０のコネクタ実装面１０ａから離れる方向へ持ち上げられてもロック状態を問題なく維持することができると共に、ロック状態を意図的に解除可能な電線対基板コネクタ１が実現される。
【００８３】
（１３）また、図１４に示すように、プラグハウジング５には、電線６が回路基板１０のコネクタ実装面１０ａに近づくようにプラグコネクタ２を傾けるための解除用突起５１が設けられている。
【００８４】
（１４）また、図１４に示すように、解除用突起５１は、プラグハウジング５の電線コネクタ方向側の端部から、電線コネクタ方向に突出して形成されている。
【００８５】
（１５）また、図９に示すように、固定部３１には、プラグコネクタ２をレセプタクルコネクタ３に嵌合させるべくプラグコネクタ２の突出部５３が固定部３１に接触した際に、固定部３１をプラグコネクタ２から離れる方向へ弾性変位させる嵌合案内面４０が形成されている。
【００８６】
（１７）また、図３に示すように、補助金具９は、レセプタクルコネクタ３のコネクタ幅方向における両側に一対で設けられている。
【００８７】
なお、図２０に示す突出部５３の端部傾斜面６４がロック梁３７をコネクタ幅反中央方向へ押し退けるタイミングと、図１８に示すプラグコンタクト４の接点部４ｂが図１１に示すレセプタクルコンタクト７の窪み７１ａから脱出するタイミングは、揃えておくことが好ましい。例えば突出部５３の電線コネクタ側の形状を尻上がり又は尻下がりとすることで、上記２つのタイミングを揃えることができる。
【００８８】
以上に、第１実施形態を説明したが、第１実施形態は以下のように変更できる。
【００８９】
即ち、図９に示すように、補助金具９の固定部３１の固定部本体３４にはロック孔３６が形成されており、このロック孔３６が形成されていることでロック梁３７が形成されているとした。しかし、ロック梁３７は、必ずしもロック孔３６の存在を前提としたものではない。ロック孔３６を形成しなければロック梁３７を形成できないわけではない。従って、例えば、ロック孔３６の基板近接方向側に存在している梁を除去した構成を採用することもできる。
【００９０】
（第２実施形態）
次に、図２１〜２５を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００９１】
図２１に示すように、本実施形態においてプラグロック面６０は、コネクタ電線方向側に配置されるロック維持面６５と、電線コネクタ方向側に配置されるロック解除面６６と、を有する。ロック維持面６５は、プラグ側面５０ａに接続し、コネクタ高さ方向に対して略直交する平面である。ロック解除面６６は、プラグ側面５０ａに接続し、基板離間方向に向かうにつれてコネクタ幅中央方向に向かうように傾斜し、且つ、電線コネクタ方向に向かうにつれてコネクタ幅中央方向に向かうように傾斜する平面である。ロック維持面６５とロック解除面６６は、相互に接続している。ロック維持面６５とロック解除面６６は、電線方向で隣り合っている。ロック維持面６５は、ロック解除面６６から見て、コネクタ電線方向側に配置されている。即ち、ロック解除面６６は、ロック維持面６５から見て、電線コネクタ方向側に配置されている。ロック解除面６６は、ロック維持面６５のプラグ側面５０ａから遠い側の縁６５ａに接続している。換言すれば、ロック解除面６６は、ロック維持面６５のコネクタ幅反中央方向側の縁６５ａに接続している。
【００９２】
プラグ側面５０ａは、図２１において二点鎖線で示す基準面Qを有している。基準面Qは、プラグ側面５０ａの一部である。基準面Qは、プラグ側面５０ａのうち突出部５３よりも回路基板１０のコネクタ実装面１０ａから遠い側の部分である。基準面Qは、プラグ側面５０ａのうち突出部５３よりも基板離間方向側の部分である。
【００９３】
図２２には、突出部５３の３つの断面X、断面Y、断面Zを示している。断面Xは、断面Yよりもコネクタ電線方向側に位置している。断面Yは、断面Zよりもコネクタ電線方向側に位置している。断面X、断面Y、断面Zは、何れも電線方向に対して直交する断面である。以下、この断面X、断面Y、断面Zを利用して、突出部５３の形状を更に詳細に説明する。
【００９４】
図２３に示す断面Xでは、プラグロック面６０のうちロック維持面６５のみが現れている。図２４に示す断面Yでは、プラグロック面６０のうちロック維持面６５及びロック解除面６６の両方が現れている。換言すれば、断面Yにおいて、ロック維持面６５とロック解除面６６はコネクタ幅方向において隣り合っている。図２５に示す断面Zでは、プラグロック面６０のうちロック解除面６６のみが現れている。図２３に示す断面X及び図２４に示す断面Yでは、側方起立面６２が現れている。一方、図２５に示す断面Zでは、側方起立面６２に代えて端部傾斜面６４が現れている。
【００９５】
図２３に示すように、基準面Qとロック維持面６５の間の角度をロック維持角度θ１とする。図２４及び図２５に示すように、基準面Qとロック解除面６６の間の角度をロック解除角度θ２とする。本実施形態において、ロック維持角度θ１は、ロック解除角度θ２よりも小さい。具体的には、ロック維持角度θ１は、９０度以下である。好ましくは、ロック維持角度θ１は、７０〜９０度である。更に好ましくは、ロック維持角度θ１は、８０〜８５度である。本実施形態において、ロック維持角度θ１は、８５度である。また、ロック解除角度θ２は、９０度よりも大きい。好ましくは、ロック解除角度θ２は、９５〜１６５度である。更に好ましくは、ロック解除角度θ２は、１２０〜１５０度である。本実施形態においてロック解除角度θ２は、１３５度である。
【００９６】
上記第２実施形態は、以下の特長を有している。
【００９７】
（１１）突出部５３の電線コネクタ方向側の部分には、回路基板１０のコネクタ実装面１０ａから離れるにつれて固定部３１から離れるように、即ちコネクタ幅中央方向に傾斜するロック解除面６６が形成されている。以上の構成によれば、電線６が回路基板１０のコネクタ実装面１０ａから離れる方向へ持ち上げられてもロック状態を問題なく維持することができると共に、ロック状態を意図的に解除可能な電線対基板コネクタ１が実現される。
【００９８】
上記第２実施形態では、突出部５３は、ロック解除面６６と端部傾斜面６４の両方を有している。しかし、これに代えて、上記第１実施形態のように端部傾斜面６４のみを有することとしてもよいし、逆に、ロック解除面６６のみを有することとしてもよい。
【００９９】
（第３実施形態）
次に、図２６を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【０１００】
上記第２実施形態においてプラグロック面６０のロック解除面６６は平面によって構成したが、これに代えて、図２６に示すように、ロック解除面６６を、回路基板１０のコネクタ実装面１０ａから離れるにつれて固定部３１から離れるように、即ちコネクタ幅中央方向に傾斜する湾曲面としてもよい。図２６では、突出部５３の断面形状をハッチングで示している。この場合でも、電線６が回路基板１０のコネクタ実装面１０ａから離れる方向へ持ち上げられてもロック状態を問題なく維持することができると共に、ロック状態を意図的に解除可能な電線対基板コネクタ１が実現される。
【０１０１】
なお、上記第３実施形態では、端部傾斜面６４を省略している。しかし、上記第３実施形態でも、突出部５３は端部傾斜面６４を有していてもよい。
【０１０２】
（第４実施形態）
次に、図２７及び図２８を参照しつつ、本願発明の第４実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【０１０３】
本実施形態において突出部５３は、図１６に示す端部傾斜面６４を有していない。これに代えて、図２７に示すように、補助金具９の固定部３１のロック梁３７の電線コネクタ方向側の部分には、回路基板１０のコネクタ実装面１０ａから離れるにつれてプラグハウジング５に近づくように傾斜する湾曲面８０が形成されている。湾曲面８０は、レセプタクルロック面３８とプラグ対向面３９に連なるように形成されている。また、図９に示す平面状の嵌合案内面４０に代えて、図２７に示すように、ロック梁３７には、湾曲状の嵌合案内面８１が形成されている。湾曲面８０及び嵌合案内面８１は、例えばR面加工により形成すればよい。
【０１０４】
上記の第４実施形態は、以下の特長を有している。
【０１０５】
（１２）固定部３１の電線コネクタ方向側の部分には、回路基板１０のコネクタ実装面１０ａから離れるにつれてプラグハウジング５に近づくように傾斜する湾曲面８０が形成されている。以上の構成によれば、電線６が回路基板１０のコネクタ実装面１０ａから離れる方向へ持ち上げられてもロック状態を問題なく維持することができると共に、ロック状態を意図的に解除可能な電線対基板コネクタ１が実現される。
【０１０６】
（第５実施形態）
次に、図２９を参照しつつ、本願発明の第５実施形態を説明する。ここでは、本実施形態が上記第４実施形態と異なる点を中心に説明し、重複する説明は適宜省略する。また、上記第４実施形態の各構成要素に対応する構成要素には原則として同一の符号を付すこととする。
【０１０７】
第４実施形態の湾曲面８０に代えて、平面８２を採用してもよい。
【０１０８】
上記の第５実施形態は、以下の特長を有している。
【０１０９】
（１２）固定部３１の電線コネクタ方向側の部分には、回路基板１０のコネクタ実装面１０ａから離れるにつれてプラグハウジング５に近づくように傾斜する平面８２が形成されている。以上の構成によれば、電線６が回路基板１０のコネクタ実装面１０ａから離れる方向へ持ち上げられてもロック状態を問題なく維持することができると共に、ロック状態を意図的に解除可能な電線対基板コネクタ１が実現される。
【０１１０】
（第６実施形態）
次に、図３０及び図３１を参照しつつ、本願発明の第６実施形態を説明する。ここでは、本実施形態が上記第４実施形態と異なる点を中心に説明し、重複する説明は適宜省略する。また、上記第４実施形態の各構成要素に対応する構成要素には原則として同一の符号を付すこととする。
【０１１１】
図２７に示すように、上記第４実施形態において、湾曲面８０及び嵌合案内面８１は、R面加工により形成することとした。しかし、これに代えて、本実施形態では、図３０及び図３１に示すように、金属板を湾曲状に折り曲げることで形成している。
【０１１２】
（第７実施形態）
次に、図３３〜図３６を参照しつつ、本願発明の第７実施形態を説明する。ここでは、本実施形態が上記第２実施形態と異なる点を中心に説明し、重複する説明は適宜省略する。また、上記第２実施形態の各構成要素に対応する構成要素には原則として同一の符号を付すこととする。
【０１１３】
図３３には、電線対基板コネクタ１の嵌合状態を示している。図３４は、図３３のG部拡大図である。
【０１１４】
図３４に示すように、レセプタクルコネクタ３の補助金具９の固定部３１は、片持梁状に支持されている。従って、固定部３１の根本に相当する、固定部３１の連結部３２側の端部３１ａは、コネクタ幅反中央方向に殆ど弾性変位することができない。仮に、プラグコネクタ２をレセプタクルコネクタ３に嵌合させる際、プラグコネクタ２のプラグハウジング５のプラグハウジング本体５０がレセプタクルコネクタ３の補助金具９の固定部３１の連結部３２側の端部３１ａに接触してしまったとすると、上記のように端部３１ａはコネクタ幅反中央方向に殆ど弾性変位することができないので、プラグコネクタ２がレセプタクルコネクタ３へ嵌合することを著しく阻害することになる。
【０１１５】
そこで、上記第２実施形態では、このような問題を未然に防ぐべく、プラグコネクタ２のプラグハウジング５のプラグハウジング本体５０のプラグ側面５０ａと、レセプタクルコネクタ３の補助金具９の固定部３１と、の間には、電線対基板コネクタ１の嵌合状態において隙間ｉが残るようにしている。
【０１１６】
しかし、この隙間ｉの存在により、図３４に示す電線対基板コネクタ１の嵌合状態において、レセプタクルコネクタ３内におけるプラグコネクタ２のプラグハウジング５のコネクタ幅方向での移動は許容されることになる。そして、レセプタクルコネクタ３内で、プラグコネクタ２のプラグハウジング５がコネクタ幅方向に移動してしまうと、図９に示す補助金具９の固定部３１のレセプタクルロック面３８と、図２１に示す突出部５３のプラグロック面６０のロック維持面６５と、のコネクタ高さ方向における対向関係が弱まり、この結果、プラグコネクタ２がレセプタクルコネクタ３から外れ易くなってしまうという問題が残されていた。
【０１１７】
そこで、図３５に示すように、本実施形態においてプラグコネクタ２のプラグハウジング５のプラグハウジング本体５０のプラグ側面５０ａには、補助金具９の固定部３１側に張り出した張り出し部９０を設けている。即ち、張り出し部９０は、プラグハウジング本体５０のプラグ側面５０ａからコネクタ幅反中央方向に突出して形成されている。そして、図３６に示す電線対基板コネクタ１の嵌合状態では、張り出し部９０と固定部３１の弾性変位可能な部分とが接触している。以上の構成によれば、電線対基板コネクタ１の嵌合状態において、レセプタクルコネクタ３内におけるプラグコネクタ２のプラグハウジング５のコネクタ幅方向での移動は、レセプタクルコネクタ３の補助金具９の固定部３１のコネクタ幅中央方向への弾性力Nによって抑制されることになる。この結果、図９に示す補助金具９の固定部３１のレセプタクルロック面３８と、図２１に示す突出部５３のプラグロック面６０のロック維持面６５と、のコネクタ高さ方向における対向関係が維持され、プラグコネクタ２がレセプタクルコネクタ３から外れ難くなる。
【０１１８】
具体的には、図３５に示すように、プラグコネクタ２のプラグハウジング５は、プラグハウジング本体５０と解除用突起５１、一対の位置決め突起５２、一対の突出部５３に加えて、一対の張り出し部９０を有している。張り出し部９０は、プラグ側面５０ａからコネクタ幅反中央方向に向かって突出して形成されている。張り出し部９０は、位置決め突起５２から極力離れた位置に形成されている。張り出し部９０は、コネクタ幅反中央方向を向く張り出し面９０ａを有している。張り出し面９０ａは、コネクタ幅方向に対して直交している。プラグハウジング本体５０のプラグ側面５０ａに張り出し部９０が形成されているので、張り出し部９０の張り出し面９０ａは、プラグハウジング本体５０のプラグ側面５０ａの一部と見做すことができる。突出部５３は、張り出し部９０に設けている。具体的には、突出部５３は、張り出し部９０の張り出し面９０ａに形成されている。突出部５３は、張り出し部９０の張り出し面９０ａからコネクタ幅反中央方向に突出して形成されている。
【０１１９】
そして、図３５に示すように、張り出し部９０が位置決め突起５２から極力離れた位置に形成されているので、図３６に示すように、電線対基板コネクタ１の嵌合状態において、張り出し部９０は、固定部３１の端部３１ａに対してコネクタ電線方向に離れている。この結果、電線対基板コネクタ１の嵌合状態では、張り出し部９０と固定部３１の弾性変位可能な部分とが常に接触している。一方で、プラグ側面５０ａと、固定部３１の端部３１ａ近傍と、の間には、上述した隙間ｉが依然として存在している。従って、張り出し部９０を設けた本実施形態でも、上記第２実施形態と同様、プラグコネクタ２をレセプタクルコネクタ３に嵌合させる際、プラグコネクタ２のプラグハウジング５のプラグハウジング本体５０がレセプタクルコネクタ３の補助金具９の固定部３１の連結部３２側の端部３１ａに接触してしまうのを効果的に回避することができ、もって、プラグコネクタ２のレセプタクルコネクタ３への嵌合は妨げられない。
【０１２０】
なお、上記第７実施形態は、第２実施形態との比較により説明したが、上記第７実施形態は、第１実施形態を含む他の実施形態にも適用することができる。
【０１２１】
（第８実施形態）
次に、図３７及び図３８を参照しつつ、本願発明の第８実施形態を説明する。ここでは、本実施形態が上記第７実施形態と異なる点を中心に説明し、重複する説明は適宜省略する。また、上記第７実施形態の各構成要素に対応する構成要素には原則として同一の符号を付すこととする。
【０１２２】
図３７に示すように、本実施形態において、張り出し部９０の張り出し面９０ａは、第１張り出し面９０ｂと第２張り出し面９０ｃを有している。第１張り出し面９０ｂは、第２張り出し面９０ｃのコネクタ電線方向側の端部に接続している。即ち、第２張り出し面９０ｃは、第１張り出し面９０ｂの電線コネクタ方向側の端部に接続している。第１張り出し面９０ｂは、コネクタ幅反中央方向を向いている。第１張り出し面９０ｂは、コネクタ幅方向に対して直交している。第１張り出し面９０ｂは、突出部５３のプラグロック面６０のロック維持面６５のコネクタ電線方向側の端部に接続している。第２張り出し面９０ｃは、電線コネクタ方向に向うにつれてコネクタ幅中央方向に傾斜している。
【０１２３】
この構成で、図３８に示すように、プラグコネクタ２をレセプタクルコネクタ３に嵌合させると、張り出し部９０の第１張り出し面９０ｂのみが固定部３１に対して常に接触し、張り出し部９０の第２張り出し面９０ｃは固定部３１に対して接触しない。また、第１張り出し面９０ｂは、突出部５３のロック維持面６５のコネクタ電線方向側の端部に接続している。従って、張り出し部９０と固定部３１との接触により固定部３１がコネクタ幅反中央方向にどの程度弾性変位しようとも、図９に示す補助金具９の固定部３１のレセプタクルロック面３８と、図２１に示す突出部５３のプラグロック面６０のロック維持面６５と、のコネクタ高さ方向における対向関係に影響を与えることがない。
【０１２４】
なお、上記第８実施形態は、第７実施形態との比較により説明したが、上記第８実施形態は、第１実施形態を含む他の実施形態にも適用することができる。
【符号の説明】
【０１２５】
１  電線対基板コネクタ
２  プラグコネクタ
３  レセプタクルコネクタ
４  プラグコンタクト
４ａ  接触片
４ｂ  接点部
５  プラグハウジング
６  電線
６ａ  近傍部
７  レセプタクルコンタクト
８  レセプタクルハウジング
９  補助金具
１０  回路基板（基板）
１０ａ  コネクタ実装面
１０ｂ  補助金具用パッド
１５  基板対向部
１６  レセプタクルコンタクト保持部
１７  補助金具取付部
１８  レセプタクルコンタクト取付孔
１９  端部
２０  位置決め溝側方区画壁部
２１  位置決め溝前方区画壁部
２２  金具保持溝後方区画壁部
２３  金具保持溝側方区画壁部
２４  金具保持溝内方区画壁部
２４ａ  湾曲面
２５  金具保持溝下側区画壁部
２５ａ  圧入孔
２６  金具保持溝
３０  被保持部
３０ａ  被保持部本体
３０ｂ  被圧入部
３０ｃ  脚部
３１  固定部
３１ａ  端部
３２  連結部
３３  変位規制部
３４  固定部本体
３５  被規制突起
３６  ロック孔
３７  ロック梁
３８  レセプタクルロック面
３９  プラグ対向面
４０  嵌合案内面
４１  位置決め溝
４２  垂直変位規制部
４２ａ  先端部
４３  水平変位規制部
５０  プラグハウジング本体
５０ａ  プラグ側面
５１  解除用突起
５２  位置決め突起
５３  突出部
５４  プラグコンタクト取付孔
６０  プラグロック面
６１  嵌合案内面
６２  側方起立面
６３  端部起立面
６４  端部傾斜面
６５  ロック維持面
６５ａ  縁
６６  ロック解除面
７０  レセプタクルコンタクト本体
７１  レセプタクルコンタクト接点部
７１ａ  窪み
７２  レセプタクルコンタクト脚部
８０  湾曲面
８１  嵌合案内面
８２  平面
９０  張り出し部
９０ａ  張り出し面
９０ｂ  第１張り出し面
９０ｃ  第２張り出し面
θ１  ロック維持角度
θ２  ロック解除角度
ｇ  隙間
ｈ  隙間
ｉ  隙間
ｊ  隙間
ｋ  隙間
N  弾性力
P  嵌合方向
Q  基準面
S  矢印
R  矢印
X  断面
Y  断面
Z  断面
【図１】
2014038822.tif 000003
【図２】
2014038822.tif 000004
【図３】
2014038822.tif 000005
【図４】
2014038822.tif 000006
【図５】
2014038822.tif 000007
【図６】
2014038822.tif 000008
【図７】
2014038822.tif 000009
【図８】
2014038822.tif 000010
【図９】
2014038822.tif 000011
【図１０】
2014038822.tif 000012
【図１１】
2014038822.tif 000013
【図１２】
2014038822.tif 000014
【図１３】
2014038822.tif 000015
【図１４】
2014038822.tif 000016
【図１５】
2014038822.tif 000017
【図１６】
2014038822.tif 000018
【図１７】
2014038822.tif 000019
【図１８】
2014038822.tif 000020
【図１９】
2014038822.tif 000021
【図２０】
2014038822.tif 000022
【図２１】
2014038822.tif 000023
【図２２】
2014038822.tif 000024
【図２３】
2014038822.tif 000025
【図２４】
2014038822.tif 000026
【図２５】
2014038822.tif 000027
【図２６】
2014038822.tif 000028
【図２７】
2014038822.tif 000029
【図２８】
2014038822.tif 000030
【図２９】
2014038822.tif 000031
【図３０】
2014038822.tif 000032
【図３１】
2014038822.tif 000033
【図３２】
2014038822.tif 000034
【図３３】
2014038822.tif 000035
【図３４】
2014038822.tif 000036
【図３５】
2014038822.tif 000037
【図３６】
2014038822.tif 000038
【図３７】
2014038822.tif 000039
【図３８】
2014038822.tif 000040